(57)【特許請求の範囲】
【請求項１】
キャッシャに対向する垂直な操作面を有する縦型扁平部とこの縦型扁平部の上部に位置して後方上がりとなる向きに傾斜させた傾斜部とを有する本体ケースと、
前記傾斜部に配置した操作表示部と、
前記操作面内の前記操作表示部の下方に読取面を垂直向きに配置したスキャナと、
前記傾斜部内にこの傾斜部の傾斜に倣った傾斜角度をもって配置されると共に前記操作表示部と前記スキャナとの間の位置から前記傾斜部の傾斜に倣った傾斜角度をもって前方下がりにスライドして開放可能であるマネーケースを備えたドロワーと、
を有することを特徴とする金銭登録機。
【請求項２】
前記マネーケースは、手前側に位置するコインケース部と奥側に位置する紙幣ケース部とを有し、前記コインケース部の底面部は略水平面である、ことを特徴とする請求項１記載の金銭登録機。
【発明の詳細な説明】
【０００１】
【産業上の利用分野】
本発明は、金銭登録機に関する。
【０００２】
【従来の技術】
従来、金銭登録機には種々の形式のドロワーが用いられている。ドロワー１の構造としては図４に示すように、筐体２内に水平面内で前後方向スライド自在にマネーケース３を収納したものが一般的である。なお、筐体２の両側壁内面には前後方向に延出するスライドレール４が固定されると共にこのスライドレール４にローラ（図示せず）が取り付けられ、マネーケース３の両側壁外面には前記スライドレール４と嵌合すると共に前記ローラにより保持されるスライドレール５が前後方向に延出する向きに固定されている。
【０００３】
マネーケース３は水平面内で前後方向にスライドする構造であるため、金銭登録機におけるドロワー１を設ける位置は、キャッシャの手が容易に届く高さの位置とする必要がある。
【０００４】
しかし、スキャナを一体化した構造の金銭登録機では、キャッシャの手が容易に届く高さの位置にはスキャナを設けることになるため、ドロワー１の設置位置をスキャナの上方としなければならない。
【０００５】
【発明が解決しようとする課題】
ドロワー１をスキャナの上方に設置すると、ドロワー１の開放時におけるマネーケース３の位置が高くなり、このマネーケース３に貨幣を出し入れする際に手間がかかるようになり、精算時の作業性が低下する。
【０００６】
【課題を解決するための手段】
本発明の金銭登録機は、キャッシャに対向する垂直な操作面を有する縦型扁平部とこの縦型扁平部の上部に位置して後方上がりとなる向きに傾斜させた傾斜部とを有する本体ケースと、前記傾斜部に配置した操作表示部と、前記操作面内の前記操作表示部の下方に読取面を垂直向きに配置したスキャナと、前記傾斜部内にこの傾斜部の傾斜に倣った傾斜角度をもって配置されると共に前記操作表示部と前記スキャナとの間の位置から前記傾斜部の傾斜に倣った傾斜角度をもって前方下がりにスライドして開放可能であるマネーケースを備えたドロワーとを有する。
【０００７】
【作用】
本発明では、この金銭登録機は縦型扁平部の上部に後方上がりとなる向きに傾斜させた傾斜部を有する本体ケースを設け、傾斜部に操作表示部を配置し、縦型扁平部におけるキャッシャに対向する垂直な操作面にスキャナの読取面を垂直向きに配置しているため、この金銭登録機は前後方向の幅寸法が小さくなる。従って、この金銭登録機をカウンタテーブル上に載置した場合には、カウンタテーブル上における金銭登録機とキャッシャとの間に広いスペースを確保でき、空になった買物カゴを金銭登録機の一側から他側へ移動させる作業を、その買物カゴをカウンタテーブル上を滑らせてスムーズに行える。
【０００８】
さらに、ドロワーがスキャナの上方の高い位置に位置することとなるが、このドロワーのマネーケースは傾斜部内に操作表示部の傾斜に倣った傾斜角度をもって前方下がりにスライドして開放されるため、ドロワーの開放時におけるマネーケースの位置がキャッシャの手が容易に届く高さに下がり、マネーケースに貨幣を出し入れする作業を容易に行えるようになる。しかも、マネーケースを前方下がりにスライドする構造とすることにより、このマネーケースを水平方向へスライドさせる場合に比べてスライド方向の長さ寸法を大きくすることができ、金銭登録機の前後方向の幅寸法を小さくして薄型化を図っても、マネーケースの容積の大型化を図ることができる。
【０００９】
【実施例】
本発明の一実施例を図１ないし図３に基づいて説明する。図１はカウンタテーブル６上へ本発明の金銭登録機を載置した状態である。この金銭登録機は、前後方向の幅寸法を小さくすると共にキャッシャに対向する垂直な操作面を有する縦型扁平部７ａと、この縦型扁平部７ａの上部に一体形成されると共に後方上がりとなる向きに傾斜させた傾斜部７ｂとからなる本体ケース７を有しており、前記傾斜部７ｂ内には、操作表示部である表示器８及びキーボード９、開閉自在なマネーケース１０を備えたドロワー１１が組み付けられている。また、前記縦型扁平部７ａ内には、垂直向きに読取面１２を配置したスキャナ１３、レシート発行口１４を備えたプリンタ１５、ストローやスプーン等を収納する開閉自在な第１小物入れ１６、セロハンテープや水を含ませたスポンジ等を収納する開閉自在な第２小物入れ１７が組み付けられている。
【００１０】
なお、前記表示器８やキーボード９の手前側端部、閉止時における前記マネーケース１０の手前側端部、前記読取面１２や前記レシート発行口１４、閉止時における第１・第２小物入れ１６，１７の正面部等が前記縦型扁平部７ａの操作面内に位置している。また、前記読取面１２及びレシート発行口１４は、カウンタテーブル５の上に載せた買物カゴ（図示せず）の上端部より上方となる位置に配置されている。
【００１１】
つぎに、前記マネーケース１０は、前記表示器８やキーボード９の傾斜に倣った傾斜角度をもって前方下がりに開放可能に設けられている。前記傾斜部７ｂの両側壁内面にはローラ（図示せず）を備えた第１スライドレール（図示せず）が前記表示器８やキーボード９の傾斜に倣った傾斜角度をもって前方下がりに固定され、さらに、ローラ（図示せず）を備えた第２スライドレール１８が前記第１スライドレールにスライド自在に嵌合している。また、前記マネーケース１０の両側壁外面には前記第２スライドレール１８とスライド自在に嵌合するスライドレール１９が固定されている。
【００１２】
また、前記ドロワー１１には図３に示すように、閉止位置へスライドさせた前記マネーケース１０をロックするためのロック機構（図示せず）と、このロック機構のロック状態を解除するためのソレノイド２０とが設けられている。さらに、ロック機構を解除されて下方へスライドする前記マネーケース１０のスライド動作を緩やかに制動するためのダンパー２１が設けられている。
【００１３】
前記マネーケース１０には、仕切壁２２により仕切られて種類別に硬貨を収納するたコインケース部２３と、紙幣ケース２４を着脱自在に収納すると共に紙幣押え２５を備えた紙幣ケース部２６とが形成されている。前記コインケース部２３の底面部は略水平面とされている。
【００１４】
このような構成において、金銭登録機は前後方向の幅寸法が小さい薄型に形成されているため、この金銭登録機を図１に示すようにカウンタテーブル６上における奥側（顧客側）の縁部に設置することにより、カウンタテーブル４の手前側（キャッシャ側）の縁部と金銭登録機との間には十分に広いスペースが確保される。従って、空になった買物カゴをキャッシャが金銭登録機の一側から他側へ移動させる作業を、その買物カゴをカウンタテーブル６上を滑らせることにより容易に行える。
【００１５】
顧客が購入した商品の精算を行うためにドロワー１１を開放させる場合には、キャッシャがキーボード９上の預かり／現計キーを押すことに伴う信号によってソレノイド２０へ通電され、ソレノイド２０の作動によりロック機構が解除される。ロック機構を解除されたマネーケース１０は自重や収納してある硬貨の重さによってキャッシャ側に向けて前方下がり（図３の矢印Ａ方向）にスライドする。なお、マネーケース１０はダンパー２１により制動されて緩やかにスライドし、開放位置で停止したときの衝撃で収納してある硬貨が飛び出すということは起こらない。
【００１６】
ドロワー１１はスキャナ１３の上方の高い位置に配置されているが、マネーケース１０はキャッシャ側に向けて前方下がりにスライドし、開放位置にスライドした時にはマネーケース１０の位置がキャッシャの手が容易に届く高さに下がる。このため、マネーケース１０に貨幣を出し入れする作業を容易に行えるようになり、精算時の作業性が向上する。
【００１７】
また、マネーケース１０を斜めにスライドする構造とすることにより、水平方向へスライドさせる場合に比べてスライド方向の長さ寸法を大きくすることができ、金銭登録機の前後方向の幅寸法を小さくして薄型化を図ってもマネーケース１０の容積を大型化させることができる。さらに、コインケース部２３の底面部を略水平面とすることにより、収納できる硬貨の量を増大させることができる。
【００１８】
【発明の効果】
本発明によれば、スキャナを一体化した金銭登録機を前後方向の幅寸法を小さくして薄型化を図ることができ、スキャナの一体化や薄型化によってドロワーの設置位置がスキャナより上方の高い位置となるが、ドロワーの開放時にはマネーケースが操作表示部の傾斜に倣った傾斜角度をもって前方下がりに開放位置へスライドすることによりキャッシャの手が容易に届く高さに下がるため、マネーケースに貨幣を出し入れする作業を容易にして精算時の作業性を向上させることができ、また、マネーケースを斜めにスライドさせる構造とすることによりこのマネーケースを水平方向へスライドさせる場合に比べてスライド方向の長さ寸法を大きくすることができ、金銭登録機の前後方向の幅寸法を小さくして薄型化を図ってもマネーケースの容積の大型化を図ることができる。
【図面の簡単な説明】
【図１】本発明の一実施例を示す斜視図である。
【図２】マネーケースを開放位置へスライドさせた状態を示す斜視図である。
【図３】ドロワーを拡大して示す縦断側面図である。
【図４】従来例のドロワーを示す斜視図である。
【符号の説明】
７      本体ケース
７ａ    縦型扁平部
７ｂ    傾斜部
８，９  操作表示部
１０      マネーケース
１１      ドロワー
１２      読取面
１３      スキャナ
【図１】
0003631527.tif 000002
【図２】
0003631527.tif 000003
【図３】
0003631527.tif 000004
【図４】
0003631527.tif 000005